(57)【特許請求の範囲】
【請求項１】
低次群信号に光ディジタル伝送に必要な付加ビットを多重し、前記付加ビットが多重された複数の信号を同期多重して高次群信号とし、前記高次群信号を電気／光変換して送信し、受信した前記高次群信号から前記低次群信号を分離する光ディジタル伝送装置において、
送信側伝送装置は、前記低次群信号に複数の障害のいずれかを検出したとき、前記低次群信号の代わりに複数のＰＮパタンのうちの１つを挿入して送信し、受信側伝送装置は前記ＰＮパタンのいずれかを特定して検出して、前記低次群信号の障害時にも前記光ディジタル伝送のマーク率を１／２に保持し、前記送信側から前記受信側へ前記障害の警報転送を行うことを特徴とするランダムパタン送受信方法。
【請求項２】
前記複数の障害が、前記低次群信号の入力断状態と前記低次群信号に特定符号のビットが連続する状態を示すＡＩＳ状態と前記低次群信号が同期はずれの状態を示すＲＥＣ状態を含むことを特徴とするランダムパタン送受信方法。
【請求項３】
低次群信号に光ディジタル伝送に必要な付加ビットを多重し、前記付加ビットが多重された複数の信号を同期多重して高次群信号とし、前記高次群信号を電気／光変換して送信し、受信した前記高次群信号から前記複数の低次群信号を分離する光ディジタル伝送装置であって、
送信側伝送装置は、前記低次群信号の複数の障害を検出する手段と、複数のＰＮパタン発生手段と、前記障害検出手段の出力信号に基づいて、前記低次群信号出力か前記複数のＰＮパタン出力のいずれか１つを選択する手段と、前記選択手段の出力信号に前記付加ビットを多重する手段とを備え、
受信側伝送装置は、前記高次群信号から分離された低次の信号から前記光ディジタル伝送に必要な付加ビットを分離する手段と、前記付加ビットの内の特定のビットのタイミングに基づいて前記付加ビットを分離された信号から前記複数のＰＮパタンのいずれかを特定して検出し検出信号を出力する手段を備え、
前記低次群信号の障害時にも前記光ディジタル伝送のマーク率を１／２に保持し、前記送信側から前記受信側へ前記障害の警報転送を行うことを特徴とする光ディジタル伝送装置。
【請求項４】
前記複数の障害が、前記低次群信号の入力断状態と前記低次群信号が特定符号の連続する状態を示すＡＩＳ状態と前記低次群信号が同期はずれの状態を示すＲＥＣ状態を含むことを特徴とする前記請求項３記載の光ディジタル伝送装置。
【請求項５】
前記ＰＮパタン発生手段が複数の段数のシフトレジスタと排他的論理和とを組み合わせて構成され、前記複数のＰＮパタン発生手段が、それぞれ前記段数が異なることを特徴とする前記請求項３記載の光ディジタル伝送装置。
【発明の詳細な説明】
【０００１】
【発明の属する技術分野】
本発明は、伝送信号に生じた障害による信号伝達の劣化を防止し、合わせて障害に関する警報を転送するために送信するランダムパタン送受信方法並びにこれを用いた光ディジタル伝送装置に関する。
【０００２】
【従来の技術】
ＳＤＨやＳＯＮＥＴのような同期網を構成する光ディジタル伝送装置は、低次群信号を多重回路に入力して光ディジタル伝送に必要な付加ビットを多重し、複数のチャネル１〜ｎの信号をさらに超高速多重回路によって超高速データに多重し伝送路に送出する構成となっている。
ここで、従来の光ディジタル伝送装置では、低次群の多重化回路において、信号の入力断が生じ、これを入力断検出回路が検出した場合には、光ディジタル伝送路のマーク率１／２を保つため、０／１交番パタン発生回路からの０／１交番パタンを多重回路に挿入していたが、このような０／１交番パタンでは、受信側で低次群信号の入力断による警報転送等の付加情報が検出できなかった。
図３は、従来の０／１交番パタン発生回路を具備した光ディジタル伝送装置の送信側である。
チャネル１〜ｎのチャネル多重化部１００は、超高速多重回路６００に多重データを出力する。入力断検出回路２００は、低次群信号２０１が入力されていることを監視する。０／１交番パタン発生回路３００は、０／１交番パタンの生成を行い、選択回路４００に出力する。選択回路４００は、入力断検出回路２００により制御され、低次群信号２０１が正常にチャネル多重化部１００に入力されている場合には低次群信号２０１を選択し、入力断を検出した場合には、０／１交番パタン発生回路３００からの０／１交番パタンを選択する。多重回路５００は、選択回路４００から出力される信号に光ディジタル信号伝送に必要な付加ビットを多重化し超高速多重回路６００へ出力する。
超高速多重回路６００は、チャネル多重化部１からのチャネル信号をさらに超高速データに多重して高次群信号２０２を生成し、Ｅ／Ｏ変換器７００へ出力する。Ｅ／Ｏ変換器７は、入力された高次群信号２０２を電気から光に変換して光ファイバ２０３へ出力する。
従来例では、低次群信号２０１の入力断を入力断検出回路２が検出した場合に、光ディジタル伝送路のマーク率１／２を保つため０／１交番パタン発生回路３からの０／１交番パタンを多重回路５に挿入していたが、このような０／１交番パタンでは、データそのものに１と０が交互に連続して現れる場合もあるため、受信側で送信側での入力断による警報の転送を受ける等の付加情報の伝送をこの交番パタンを検出して行うことができないという問題があった。
【０００３】
【発明が解決しようとする課題】
本発明は、上記のような問題点に鑑みて成されたものであって、その目的は、低次群信号が入力断の時に挿入する０／１交番パタンをＰＮパタンに変更し、受信側にＰＮパタン検出回路をすることにより、光ディジタル伝送路上のマーク率１／２を保持して受信側でのクロック再生を確実にすることができ、かつ、低次群信号の入力断による警報転送等の付加情報の検出を受信側で可能とする警報転送方法並びに光ディジタル伝送装置を提供することにある。
【０００４】
【課題を解決するための手段】
本発明の請求項１に係わる発明のランダムパタン送受信方法は、低次群信号に光ディジタル伝送に必要な付加ビットを多重し、前記付加ビットが多重された複数の信号を同期多重して高次群信号とし、前記高次群信号を電気／光変換して送信し、受信した前記高次群信号から前記低次群信号を分離する光ディジタル伝送装置において、
送信側伝送装置は、前記低次群信号に複数の障害のいずれかを検出したとき、前記低次群信号の代わりに複数のＰＮパタンのうちの１つを挿入して送信し、受信側伝送装置は前記ＰＮパタンのいずれかを特定して検出して、前記低次群信号の障害時にも前記光ディジタル伝送のマーク率を１／２に保持し、前記送信側から前記受信側へ前記障害の警報転送を行うことを特徴とする
また、本発明の請求項２に係わる発明のランダムパタン送受信方法は、前記請求項１に係わる発明記載の前記複数の障害が、前記低次群信号の入力断状態と前記低次群信号に特定符号のビットが連続する状態を示すＡＩＳ状態と前記低次群信号が同期はずれの状態を示すＲＥＣ状態を含むことを特徴とする。
また、本発明の請求項３に係わる発明の光ディジタル伝送装置は、低次群信号に光ディジタル伝送に必要な付加ビットを多重し、前記付加ビットが多重された複数の信号を同期多重して高次群信号とし、前記高次群信号を電気／光変換して送信し、受信した前記高次群信号から前記複数の低次群信号を分離する光ディジタル伝送装置であって、
送信側伝送装置は、前記低次群信号の複数の障害を検出する手段と、複数のＰＮパタン発生手段と、前記障害検出手段の出力信号に基づいて、前記低次群信号出力か前記複数のＰＮパタン出力のいずれか１つを選択する手段と、前記選択手段の出力信号に前記付加ビットを多重する手段とを備え、
受信側伝送装置は、前記高次群信号から分離された低次の信号から前記光ディジタル伝送に必要な付加ビットを分離する手段と、前記付加ビットの内の特定のビットのタイミングに基づいて前記付加ビットを分離された信号から前記複数のＰＮパタンのいずれかを特定して検出し検出信号を出力する手段を備え、
前記低次群信号の障害時にも前記光ディジタル伝送のマーク率を１／２に保持し、前記送信側から前記受信側へ前記障害の警報転送を行うことを特徴とする。
また、本発明の請求項４に係わる発明の光ディジタル伝送装置は、前記請求項３に係わる発明記載の前記複数の障害が、前記低次群信号の入力断状態と前記低次群信号が特定符号の連続する状態を示すＡＩＳ状態と前記低次群信号が同期はずれの状態を示すＲＥＣ状態を含むことを特徴とする。
また、本発明の請求項５に係わる発明の光ディジタル伝送装置は、前記請求項３に係わる発明記載の前記ＰＮパタン発生手段が複数の段数のシフトレジスタと排他的論理和とを組み合わせて構成され、前記複数のＰＮパタン発生手段が、それぞれ前記段数が異なることを特徴とする。
【０００５】
【発明の実施の形態】
本発明の実施の形態について図面を参照して説明する。
図１は本発明の光ディジタル伝送装置の第１の実施の形態の構成を示すブロック図であって、送信側伝送装置では低次群信号を高次群信号に同期多重し、光ファイバ伝送路１０３を介して光信号によって伝送し、受信側伝送装置では低次群信号に分離する送受信系の構成を示す。この伝送系は例えばＳＤＨやＳＯＮＥＴのような同期網の一部を構成していることを念頭に置いている。
送信側伝送装置は、チャネル多重化部１と、チャネル多重化部１の出力であるチャネル１〜ｎの低次群信号を高次群信号に多重化する超高速多重回路６と、超高速多重回路の出力を光ファイバへの光伝送信号に変換するＥ／Ｏ変換器７とで構成される。
受信側伝送装置は、光ファイバ１０３からの光伝送信号を電気信号に変換するＯ／Ｅ変換器９と、Ｏ／Ｅ変換された高次群信号を低次群信号に分離する超高速分離回路１０と、チャネル１〜ｎのチャネル多重化部１と、チャネル多重化部１の出力を多重化する超高速多重回路６とで構成される。
まず送信側伝送装置において、チャネル１〜ｎの各チャネルのチャネル多重化部１は、図１に示すように以下のように構成されている。入力断検出回路２は、低次群信号１０１が入力されていることを監視する。ＰＮパタン発生回路３は、マーク率１／２のランダムパタンであるＰＮパタンの生成を行い、選択回路４に出力する。選択回路４は、入力断検出回路２により制御され、低次群信号１０１が正常にチャネル多重化部１に入力されている場合には低次群信号１０１を選択し、入力断を検出した場合にはＰＮパタン発生回路３からのＰＮパタンを選択する。そして、フレームビット挿入器８を備える。多重回路５は、選択回路１から出力される信号にフレームビット挿入器８の出力を含んで、オーバヘッド等光ディジタル信号伝送に必要な付加ビットを多重化し超高速多重回路６へ出力する。超高速多重回路６は、チャネル多重化部１からの複数のチャネル信号をさらに超高速データに多重して高次群信号１０２を生成し、Ｅ／Ｏ変換器７へ出力する。Ｅ／Ｏ変換器７は、入力された高次群信号１０２を電気から光に変換して光ファイバ１０３へ出力する。
受信側伝送装置において、光ファイバ１０３からの光ディジタル信号は、Ｏ／Ｅ変換器９に入力され、光から電気への信号の変換が行われる。超高速分離回路１０は、Ｏ／Ｅ変換器９からの高次群信号１０４をチャネル毎に分離し、各チャネル分離部１４が備える分離回路１１に出力する。分離回路１１は、受信信号から付加ビットを分離し低次群信号１０５を出力する。分離された付加ビットのうちフレームビットは、フレームビット検出器１３によって検出され、ＰＮパタン検出回路１２にＰＮパタン検出タイミングを出力する。ＰＮパタン検出回路１２は、低次群信号１０５がＰＮパタンになっているかを監視し、ＰＮパタンを検出した場合にはＰＮパタン検出信号１０６を出力する。
【０００６】
次に本光ディジタル伝送装置の動作を説明する。送信側装置は、低次群信号１０１をチャネル多重化部１の多重回路５に入力し、フレームビット挿入器８の出力であるフレームビットを含めて、光ディジタル信号伝送に必要な付加ビットを多重化し超高速多重回路６へ出力する。超高速多重回路６は、複数のチャネル１〜ｎの信号をさらに高次群信号１０２に多重してＥ／Ｏ変換器７により電気信号から光信号に変換して伝送路に送出する構成となっている。
そして、低次群信号１０１の入力断を入力断検出回路２が検出した場合には、光ディジタル伝送路のマーク率１／２を保つため、選択回路によって該当チャネルの低次群信号１０１の代わりにＰＮパタン発生回路３からのＰＮパタン信号を選択し、多重回路５に挿入する。Ｅ／Ｏ変換器７は、入力された高次群信号１０２を電気から光に変換して光ファイバ１０３へ出力する。
受信側装置において、光ファイバ１０３からの光ディジタル信号は、Ｏ／Ｅ変換器９に入力され、光から電気への変換を行う。超高速分離回路１０は、Ｏ／Ｅ変換器９からの高次群信号１０４をチャネル毎に分離し、分離回路１１に出力する。分離回路１１は、受信信号から付加ビットを分離し低次群信号１０５を出力する。フレームビット検出器１３は、ＰＮパタン検出回路１２にＰＮパタン検出タイミングを出力する。ＰＮパタン検出回路１２は、低次群信号１０５がＰＮパタンになっているかを監視し、ＰＮパタンを検出した場合にはＰＮパタン検出信号１０６を出力する。
したがって、低次群信号の入力断が発生した時に、送信側でＰＮパタンを挿入し、受信側でＰＮパタンを検出すれば、伝送路上のマーク率１／２を保持することができ、合わせて低次群信号の入力断警報を受信側で判別して警報転送を行うことができる。
【０００７】
次に、図２の本発明の第２の実施の形態について説明する。図２の光ディジタル伝送装置は、送信側で、図１のＰＮパタン発生回路３を警報毎に異なったＰＮパタン段数に設定し、多重回路５と超高速多重回路６により多重し伝送路に送出する。受信側では、チャネル毎に送信側と同一のＰＮパタン段数の検出回路を具備することによりチャネル単位で警報転送等の付加情報の検出が可能となる。
周知の如く、ＰＮパタン発生回路は、複数の段数のシフトレジスタと排他的論理和とを組み合わせて構成され、その段数が異なることによって、発生する疑似ランダムパタンとパタンの繰り返し周期が異なる。
送信側において、ＰＮ３１パタン発生回路１５はＰＮ３１パタンを発生し、選択回路４に出力する。ＰＮ２０パタン発生回路１６はＰＮ２０パタンを発生し、選択回路４に出力する。ＰＮ１９パタン発生回路１７はＰＮ１９パタンを発生し、選択回路４に出力する。入力断検出回路２は低次群信号１０１が入力断状態であるかどうかを判別し、選択回路４に通知する。ＲＥＣ検出回路１８は低次群信号１０１がＲＥＣ状態（フレーム同期はずれ）であるかどうかを判別し、選択回路４に通知する。ＡＩＳ検出回路１９は低次群信号１０１がＡＩＳ状態（データが“１”や“０”の連続のような異常状態）であるかどうかを判別し、選択回路４に通知する。選択回路４は、入力断検出、ＲＥＣ検出、ＡＩＳ検出の情報を元にＰＮパタン発生回路を選択し、多重回路５へ信号を出力する。
受信側においては、ＰＮ３１パタン検出回路２０は、低次群信号１０５を監視してＰＮ３１パタンを検出した場合にＰＮ３１パタン検出信号１０７を出力する。
ＰＮ２０パタン検出回路２１は、低次群信号１０５を監視してＰＮ２０パタンを検出した場合にＰＮ２０パタン検出信号１０８を出力する。ＰＮ１９パタン検出回路２２は、低次群信号１０５を監視してＰＮ１９パタンを検出した場合にＰＮ１９パタン検出信号１０９を出力する。
送信側で低次群信号１０１の入力断、ＡＩＳ、ＲＥＣの状態が発生したときに、警報毎に異なったＰＮパタンを送信する。受信側では受信した低次群信号１０５を監視し、該当ＰＮパタンを検出したときに、そのチャネルの送信側で低次群信号１０１の入力断、ＲＥＣまたはＡＩＳ警報のどの警報が発生しているか判別できる。
【０００８】
上記の実施形態の説明では、１つの光パスにおける構成並びに動作を説明したが、独立な多数の光パスが設定される波長多重光ディジタル伝送システムであっても、本発明は有効である。
【０００９】
【発明の効果】
従来の光ディジタル伝送装置は、低次群信号１０１の入力断を入力断検出回路２が検出した場合には、光ディジタル伝送路のマーク率１／２を保つため０／１交番パタンを多重回路５に挿入していたが、このような０／１交番パタンでは、受信側で送信側の入力断による警報転送等の付加情報の検出ができなかった。
以上の説明のように、本発明の光ディジタル伝送装置では、受信側にＰＮパタン発生回路を設置し、受信側の下流装置にＰＮパタン検出回路を具備し、低次群信号１０１が入力断の時に挿入する０／１交番パタンをＰＮパタンに変更することにより、光ディジタル伝送路上のマーク率１／２を保持することができ、合わせて、入力断による警報転送等の付加情報の検出が可能となる。
さらに、ＰＮパタン発生回路を警報毎に異なったＰＮパタン段数に設定し、受信側では、チャネル毎に送信側と同一のＰＮパタン段数の検出回路を具備することにより、チャネル単位で警報転送等の付加情報の検出が可能となる。
【図面の簡単な説明】
【図１】本発明の光ディジタル伝送装置の第１の実施形態の構成を説明する図である。
【図２】本発明の光ディジタル伝送装置の第２の実施形態の構成を説明する図である。
【図３】従来の光ディジタル伝送装置の送信側装置の構成を説明する図である。
【符号の説明】
１    チャネル多重化部
２    入力断検出回路
３    ＰＮパタン発生回路
４    選択回路
５    多重回路
６    超高速多重回路
７    Ｅ／Ｏ変換器
８    フレームビット挿入器
９    Ｏ／Ｅ変換器
１０    超高速分離回路
１１    分離回路
１２    ＰＮパタン検出回路
１３    フレームビット検出器
１４    チャネル分離部
１５    ＰＮ３１パタン発生回路
１６    ＰＮ２０パタン発生回路
１７    ＰＮ１９パタン発生回路
１８    ＲＥＣ検出回路
１９    ＡＩＳ検出回路
２０    ＰＮ３１パタン検出回路
２１    ＰＮ２０パタン検出回路
２２    ＰＮ１９パタン検出回路
１０１    低次群信号
１０２    高次群信号
１０３    光ファイバ
１０４    高次群信号
１０５    低次群信号
１０６    ＰＮパタン検出信号
１０７    ＰＮ３１パタン検出信号
１０８    ＰＮ２０パタン検出信号
１０９    ＰＮ１９パタン検出信号
１００    チャネル多重化部
２００    入力断検出回路
３００    ０／１交番パタン発生回路
４００    選択回路
５００    多重回路
６００    超高速多重回路
７００    Ｅ／Ｏ変換器
２０１    低次群信号
２０２    高次群信号
２０３    光ファイバ
【図１】
0003592243.tif 000002
【図２】
0003592243.tif 000003
【図３】
0003592243.tif 000004